(57)【要約】      （修正有）【課題】ゴミ箱を覆う部分の見栄えを良くして外観品質の向上を図ったゴミ箱用覆い装置を提供する。【解決手段】ボックス状のゴミ箱Ｇを覆う筒状のもので、木製の断面円形の複数の棒材１を用い、この複数の棒材１を、上から見て偶数の辺を有した多角形の枠状になるように、且つ、棒材１の端部２同士が重なるように順次積み重ねて構成する。さらに、下位の棒材１を多角形の辺のうち１つ置きの辺を構成するように配置し、下位の棒材の隣接する上位の棒材をこの多角形の辺のうち下位の棒材が構成する辺とは異なる他の辺であって１つ置きの辺を構成するように設置する。また、重なり合う棒材の端部２に上下に貫通する貫通孔を設け、貫通孔に支柱１０を挿通し、この支柱１０の上下端部に形成した雄ネジ部にナット１３等を螺合し、最下位から最上位に積み重ねられた棒材１を締め付け固定する。【選択図】図１
0003161678.tif 000002
【実用新案登録請求の範囲】
【請求項１】
ボックス状のゴミ箱を覆う筒状のゴミ箱用覆い装置において、
木製の複数の棒材を、上から見て多角形の枠状になるように、且つ、該棒材の端部同士が重なるように順次積み重ねて接合して構成したことを特徴とするゴミ箱用覆い装置。
【請求項２】
ボックス状のゴミ箱を覆う筒状のゴミ箱用覆い装置において、
木製の複数の棒材を、上から見て偶数の辺を有した多角形の枠状になるように、且つ、該棒材の端部同士が重なるように順次積み重ねて接合して構成し、
下位の棒材を上記多角形の辺のうち１つ置きの辺を構成するように配置し、該下位の棒材の隣接する上位の棒材を上記多角形の辺のうち該下位の棒材が構成する辺とは異なる他の辺であって１つ置きの辺を構成するように配置したことを特徴とするゴミ箱用覆い装置。
【請求項３】
上記重なり合う棒材の端部に上下に貫通する貫通孔を設け、該貫通孔に支柱を挿通したことを特徴とする請求項１または２記載のゴミ箱用覆い装置。
【請求項４】
上記支柱を、金属製のロッドで構成したことを特徴とする請求項３記載のゴミ箱用覆い装置。
【請求項５】
上記支柱を、上下端部に雄ネジ部を形成した金属製のロッドで構成し、該ロッドの上下端部の雄ネジ部に夫々貫通孔の内径より大きな外径を有したナットを螺合し、該ナットを締めることにより最下位から最上位に積み重ねられた棒材を締め付け固定し、上記最下位の棒材に上記ナットが没入する凹所を形成し、上記ロッドの上端部の雄ネジ部に螺合するナットを上記最上位の棒材に形成した貫通孔を塞ぐ袋ナットで構成したことを特徴とする請求項４記載のゴミ箱用覆い装置。
【請求項６】
上記何れか一の棒材と該棒材より２つ下位の対応する棒材との間に情報を表示する木製の表示板を介装したことを特徴とする請求項１乃至５何れかに記載のゴミ箱用覆い装置。
【請求項７】
上記表示板を、該表示板が介装される上位の棒材から挿入され該表示板を通って該表示板が介装される下位の棒材に至る棒状の止着部材で止着したことを特徴とする請求項６記載のゴミ箱用覆い装置。
【請求項８】
上記止着部材を頭部のある釘若しくは木ネジで構成し、上記表示板が介装される上位の棒材に釘若しくは木ネジの頭部が没入する凹部を形成し、該凹部に木製のダボを嵌入したことを特徴とする請求項７記載のゴミ箱用覆い装置。
【請求項９】
ボックス状のゴミ箱を覆う筒状のゴミ箱用覆い装置において、
木製の断面円形の複数の棒材を用い、
該複数の棒材を、上から見て偶数の辺を有した多角形の枠状になるように、且つ、該棒材の端部同士が重なるように順次積み重ねて構成し、
下位の棒材を上記多角形の辺のうち１つ置きの辺を構成するように配置し、該下位の棒材の隣接する上位の棒材を上記多角形の辺のうち該下位の棒材が構成する辺とは異なる他の辺であって１つ置きの辺を構成するように配置し、
上記重なり合う棒材の端部に上下に貫通する貫通孔を設け、該貫通孔に支柱を挿通し、
上記支柱を、上下端部に雄ネジ部を形成した金属製のロッドで構成し、該ロッドの上下端部の雄ネジ部に夫々貫通孔の内径より大きな外径を有したナットを螺合し、該ナットを締めることにより最下位から最上位に積み重ねられた棒材を締め付け固定し、上記最下位の棒材に上記ナットが没入する凹所を形成し、上記ロッドの上端部の雄ネジ部に螺合するナットを上記最上位の棒材に形成した貫通孔を塞ぐ袋ナットで構成し、
上記何れか一の棒材と該棒材より２つ下位の対応する棒材との間に情報を表示する木製であって横断面略半円形の表示板を平面が外側に露出するように介装し、
該表示板を、該表示板が介装される上位の棒材から挿入され該表示板を通って該表示板が介装される下位の棒材に至る棒状の止着部材で止着し、
上記止着部材を頭部のある釘若しくは木ネジで構成し、上記表示板が介装される上位の棒材に釘若しくは木ネジの頭部が没入する凹部を形成し、該凹部に木製のダボを嵌入したことを特徴とするゴミ箱用覆い装置。
【考案の詳細な説明】
【技術分野】
【０００１】
本考案は、例えば、主に屋外に設置されるボックス状のゴミ箱を覆う筒状のゴミ箱用覆い装置に関する。
【背景技術】
【０００２】
一般に、屋外に設置されるゴミ箱としては、例えば、容器入り飲料の自動販売機に隣接して設けられるものがある。このゴミ箱は、空き缶や空になったペットボトル等の容器がその周辺に置かれたり、投げ捨てられたりするのを防止するために、ごく普通に設置されている。
ところで、このようなゴミ箱は、そのまま設置すると、風などで転倒したり、見栄えを損ねたり、周囲の美観を損ねたりする等の問題があり、そのため、従来においては、これらのゴミ箱を覆うゴミ箱用覆い装置を併用することも行っている。
この種のゴミ箱用覆い装置としては、例えば、特開２００５−３４６２０１号公報（特許文献１）に掲載されてものが知られている。これは、自動販売機から突出する座台部分上に、ゴミ箱を配置できるようにするとともに、この座台部分に、ゴミ箱を保持する枠体、あるいは、ゴミ箱を覆う板で筒状に形成した覆部を設けている。
【先行技術文献】
【特許文献】
【０００３】
【特許文献１】特開２００５−３４６２０１号公報
【考案の概要】
【考案が解決しようとする課題】
【０００４】
しかしながら、この従来のゴミ箱用覆い装置においては、ゴミ箱を単なる枠体に保持し、あるいは、板で筒状に形成した覆部で全面的に覆い隠すようにしているので、前者にあってはゴミ箱がそのまま露出するので、見栄えが改善されず、また、後者にあっては、ゴミ箱が完全に隠れてしまうので、結局、全体がゴミ箱のようになって、見栄えを損ねてしまうという問題があった。
【０００５】
本考案は、このような問題点に鑑みてなされたもので、ゴミ箱を覆う部分の見栄えを良くして外観品質の向上を図ったゴミ箱用覆い装置を提供することを目的とする。
【課題を解決するための手段】
【０００６】
このような目的を達成するため、本考案のゴミ箱用覆い装置は、ボックス状のゴミ箱を覆う筒状のゴミ箱用覆い装置において、
木製の複数の棒材を、上から見て多角形の枠状になるように、且つ、該棒材の端部同士が重なるように順次積み重ねて接合して構成している。
【０００７】
これにより、木製の棒材がその端部同士が重なるように順次積み重ねられて構成されるので、側方から見ると、木製の棒材の長手方向側面が隙間を介して上下に並び、しかも、隙間の両端部には木製の棒材の木口が見えるようになり、また、隙間からゴミ箱がのぞくようになることから、そのため、デザイン的に面白いものになって、見栄えが良くなり、外観品質が向上させられる。また、木製の棒材が積み重ねられて筒状に構成されるので、強度的に強く、そのため、内部のゴミ箱が倒れようとしても棒材に押さえられて、転倒する事態が防止される。更に、木製の棒材を用いるので、例えば、合板用板材を取るために木材を所謂桂剥きにした後に残る芯材や間伐材を加工したものを利用することができ、そのため、安価に製造することができる。更にまた、木製の棒材なので切断して長さ調整が容易であり、種々のゴミ箱の大きさに合わせて、容易に製造することができ、汎用性に富む。
【０００８】
具体的には、本考案のゴミ箱用覆い装置は、ボックス状のゴミ箱を覆う筒状のゴミ箱用覆い装置において、
木製の複数の棒材を、上から見て偶数の辺を有した多角形の枠状になるように、且つ、該棒材の端部同士が重なるように順次積み重ねて接合して構成し、
下位の棒材を上記多角形の辺のうち１つ置きの辺を構成するように配置し、該下位の棒材の隣接する上位の棒材を上記多角形の辺のうち該下位の棒材が構成する辺とは異なる他の辺であって１つ置きの辺を構成するように配置している。
【０００９】
これにより、木製の棒材がその端部同士が重なるように順次積み重ねられて構成されるので、側方から見ると、木製の棒材の長手方向側面が隙間を介して上下に並び、しかも、隙間の両端部には木製の棒材の木口が見えるようになり、また、隙間からゴミ箱がのぞくようになることから、そのため、デザイン的に面白いものになって、見栄えが良くなり、外観品質が向上させられる。また、木製の棒材が積み重ねられて筒状に構成されるので、強度的に強く、そのため、内部のゴミ箱が倒れようとしても棒材に押さえられて、転倒する事態が防止される。更に、木製の棒材を用いるので、例えば、合板用板材を取るために木材を所謂桂剥きにした後に残る芯材や間伐材を加工したものを利用することができ、そのため、安価に製造することができる。更にまた、木製の棒材なので切断して長さ調整が容易であり、種々のゴミ箱の大きさに合わせて、容易に製造することができ、汎用性に富む。
【００１０】
また、下位の棒材を上記多角形の辺のうち１つ置きの辺を構成するように配置し、該下位の棒材の隣接する上位の棒材を上記多角形の辺のうち該下位の棒材が構成する辺とは異なる他の辺であって１つ置きの辺を構成するように配置しているので、地面に設置する最下位の棒材の配置関係がバランス良く配置されて地面に接することになり、そのため、安定性が向上させられる。
【００１１】
そして、必要に応じ、上記重なり合う棒材の端部に上下に貫通する貫通孔を設け、該貫通孔に支柱を挿通した構成としている。貫通孔に支柱を挿入するので、上下の棒材の固定が確実になり、そのため、強度が向上させられる。
この場合、上記支柱を、金属製のロッドで構成したことが有効である。上下の棒材の結合をより一層確実に行うことができる。
【００１２】
また、必要に応じ、上記支柱を、上下端部に雄ネジ部を形成した金属製のロッドで構成し、該ロッドの上下端部の雄ネジ部に夫々貫通孔の内径より大きな外径を有したナットを螺合し、該ナットを締めることにより最下位から最上位に積み重ねられた棒材を締め付け固定し、上記最下位の棒材に上記ナットが没入する凹所を形成し、上記ロッドの上端部の雄ネジ部に螺合するナットを上記最上位の棒材に形成した貫通孔を塞ぐ袋ナットで構成している。
【００１３】
これにより、ナットを締めることにより最下位から最上位に積み重ねられた棒材を締め付け固定できるので、上下の棒材の結合をより一層確実に行うことができる。また、最下位の棒材にナットが没入する凹所を形成したので、ナットが棒材の接地面から飛び出す事態が防止され、そのため、地面に対してナットが突出することがなく、安定を確保することができる。更に、ロッドの上端部の雄ネジ部に螺合するナットを最上位の棒材に形成した貫通孔を塞ぐ袋ナットで構成したので、貫通孔から水が浸入する事態が防止され、ロッドの錆の発生が防止されるとともに、貫通孔が腐食しにくくなり、そのため、耐久性が向上させられる。また、袋ナットなので、見栄えもよく、外観品質を向上させることができる。
【００１４】
更に、必要に応じ、上記何れか一の棒材と該棒材より２つ下位の対応する棒材との間に情報を表示する木製の表示板を介装した構成としている。種々の情報を表示することができ、有用になる。また、表示板は棒材と同様に木製なので、材質が同じであり、そのため、この点でも外観品質が向上させられる。
【００１５】
更にまた、必要に応じ、上記表示板を、該表示板が介装される上位の棒材から挿入され該表示板を通って該表示板が介装される下位の棒材に至る棒状の止着部材で止着した構成としている。上下の棒材間に亘る止着部材により表示板が固定されるので、取付けが強固になる。
この場合、上記止着部材を頭部のある釘若しくは木ネジで構成し、上記表示板が介装される上位の棒材に釘若しくは木ネジの頭部が没入する凹部を形成し、該凹部に木製のダボを嵌入したことが有効である。これにより、止着部材を頭部のある釘若しくは木ネジで構成したので、取付けが容易であり、また、頭部はダボで隠されるので、それだけ外観品質が向上させられる。
【００１６】
より具体的には、本発明のゴミ箱用覆い装置は、ボックス状のゴミ箱を覆う筒状のゴミ箱用覆い装置において、
木製の断面円形の複数の棒材を用い、
該複数の棒材を、上から見て偶数の辺を有した多角形の枠状になるように、且つ、該棒材の端部同士が重なるように順次積み重ねて構成し、
下位の棒材を上記多角形の辺のうち１つ置きの辺を構成するように配置し、該下位の棒材の隣接する上位の棒材を上記多角形の辺のうち該下位の棒材が構成する辺とは異なる他の辺であって１つ置きの辺を構成するように配置し、
上記重なり合う棒材の端部に上下に貫通する貫通孔を設け、該貫通孔に支柱を挿通し、
上記支柱を、上下端部に雄ネジ部を形成した金属製のロッドで構成し、該ロッドの上下端部の雄ネジ部に夫々貫通孔の内径より大きな外径を有したナットを螺合し、該ナットを締めることにより最下位から最上位に積み重ねられた棒材を締め付け固定し、上記最下位の棒材に上記ナットが没入する凹所を形成し、上記ロッドの上端部の雄ネジ部に螺合するナットを上記最上位の棒材に形成した貫通孔を塞ぐ袋ナットで構成し、
上記何れか一の棒材と該棒材より２つ下位の対応する棒材との間に情報を表示する木製であって横断面略半円形の表示板を平面が外側に露出するように介装し、
該表示板を、該表示板が介装される上位の棒材から挿入され該表示板を通って該表示板が介装される下位の棒材に至る棒状の止着部材で止着し、
上記止着部材を頭部のある釘若しくは木ネジで構成し、上記表示板が介装される上位の棒材に釘若しくは木ネジの頭部が没入する凹部を形成し、該凹部に木製のダボを嵌入した構成としている。
【００１７】
これにより、棒材が木製の横断面円形状に形成され、表示部が木製の横断面略半円形に形成されているので、丸みがあり、そのため、デザイン的に面白いものになって、見栄えが良くなり、外観品質が向上させられる。また、棒材及び表示部にデザイン的な統一感があり、この点でもデザインを洗練させることができる。
【考案の効果】
【００１８】
本考案によれば、木製の棒材がその端部同士が重なるように順次積み重ねられて構成されるので、側方から見ると、木製の棒材の長手方向側面が隙間を介して上下に並び、しかも、隙間の両端部には木製の棒材の木口が見えるようになり、また、隙間からゴミ箱がのぞくようになることから、そのため、デザイン的に面白いものになって、見栄えが良くなり、外観品質を向上させることができる。また、木製の棒材が積み重ねられて筒状に構成されるので、強度的に強く、そのため、内部のゴミ箱が倒れようとしても棒材に押さえられて、転倒する事態を防止することができる。更に、木製の棒材を用いるので、例えば、合板用板材を取るために木材を所謂桂剥きにした後に残る芯材や間伐材を加工したものを利用することができ、そのため、安価に製造することができる。更にまた、木製の棒材なので切断して長さ調整が容易であり、種々のゴミ箱の大きさに合わせて、容易に製造することができ、汎用性に富む等、種々の効果を奏する。
【図面の簡単な説明】
【００１９】
【図１】本考案の実施の形態に係るゴミ箱用覆い装置を示す斜視図である。
【図２】本考案の実施の形態に係るゴミ箱用覆い装置を示す平面図である。
【図３】本考案の実施の形態に係るゴミ箱用覆い装置を示す図２中Ｘ視断面である。
【図４】本考案の実施の形態に係る吸着層を示す図２中Ｙ視断面である。
【図５】本考案の実施の形態に係るゴミ箱用覆い装置の設置状態の一例を示す斜視図である。
【図６】本考案の別の実施の形態に係るゴミ箱用覆い装置を示す斜視図である。
【図７】本考案の別の実施の形態に係るゴミ箱用覆い装置を示す平面図である。
【図８】本考案のまた別の実施の形態に係るゴミ箱用覆い装置を示す平面図である。
【図９】本考案の更にまた別の実施の形態に係るゴミ箱用覆い装置を示す平面図である。
【図１０】本考案の他の実施の形態に係るゴミ箱用覆い装置を示す斜視図である。
【考案を実施するための形態】
【００２０】
以下、添付図面に基づいて本考案の実施の形態に係るゴミ箱用覆い装置を説明する。図１乃至図５に示すように、本実施の形態に係るゴミ箱用覆い装置Ｓは、ボックス状のゴミ箱Ｇを覆う筒状のもので、木製の複数の棒材１を、上から見て多角形の枠状になるように、且つ、棒材１の端部２同士が重なるように順次積み重ねて接合して構成されている。
【００２１】
詳しくは、木製の複数の棒材１を、上から見て偶数の辺を有した多角形の枠状になるように、実施の形態では、１つのゴミ箱Ｇを覆う正四角形あるいは略正四角形の矩形になるように順次積み重ねて構成されている。棒材１は、正四角形の場合には同じ長さのものが用意され、略正四角形に近い矩形の場合には、長辺用と短辺用の２種の長さのものが用意される。また、棒材１としては、例えば、合板用板材を取るために木材を所謂桂剥きにした後に残る芯材や間伐材を加工したものを利用することができる。そのため、安価に製造することができる。実施の形態では、棒材１は、断面円形に加工されている。この場合、木製の棒材１なので切断して長さ調整が容易であり、種々のゴミ箱Ｇの大きさに合わせて、容易に製造することができ、汎用性に富む。
【００２２】
また、実施の形態においては、下位の棒材１を多角形の辺のうち１つ置きの辺（図２中Ｈ１，Ｈ３）を構成するように配置し、この下位の棒材１の隣接する上位の棒材１を多角形の辺のうち下位の棒材１が構成する辺とは異なる他の辺であって１つ置きの辺（図２中Ｈ２，Ｈ４）を構成するように配置している。即ち、実施の形態では、矩形の相対向する一対の辺（Ｈ１，Ｈ３）に対応させた一対の棒材１と、矩形の相対向する一対の他の辺（Ｈ２，Ｈ４）に対応する一対の棒材１を、交互に順次積み重ねている。
【００２３】
更に、図３に示すように、重なり合う棒材１の端部２には、上下に貫通する貫通孔３が形成されている。この貫通孔３は予めボール盤などで穿設される。また、最下位の棒材１には、後述の貫通ナット１４が没入する凹所４が形成されている。
【００２４】
更にまた、重なり合う棒材１の貫通孔３には、支柱１０が挿通されている。この支柱１０は、上下端部に雄ネジ部１２を形成した金属製のロッド１１で構成されている。また、このロッド１１の上下端部の雄ネジ部１２に螺合し、夫々貫通孔３の内径より大きな外径を有したナットを備えている。ロッド１１の上端部の雄ネジ部１２に螺合するナットは、最上位の棒材１に形成した貫通孔３を塞ぐ袋ナット１３で構成されている。また、最下位側のナットは、雌ネジ部が貫通して形成された貫通ナット１４で構成されている。ロッド１１の長さは、下端が凹所４より外側に突出しない長さに設定される。そして、ロッド１１の上下端部の雄ネジ部１２に袋ナット１３及び貫通ナット１４を夫々ワッシャ１５を介して螺合し、この袋ナット１３及び貫通ナット１４を締めることにより最下位から最上位に積み重ねられた棒材１を締め付け固定している。
【００２５】
また、何れか一の棒材１（実施の形態では最上位の１つ下位の棒材１）とこの棒材１より２つ下位の対応する棒材１との間に、情報を表示する木製の表示板２０が介装されている。図４に示すように、この表示板２０は、棒材１と同様の材質で形成され、横断面略半円形に形成されている。即ち、断面円形の所定長さのものの一側を、その長手方向に沿って、所定幅切除し、平面を表出させ、この平面を表示面２０ａにしている。そして、この表示板２０は、表示面２０ａである平面が外側に露出するように棒材１間に介装されている。
【００２６】
また、図４に示すように、この表示板２０は、表示板２０が介装される上位の棒材１から挿入され、この表示板２０を通ってこの表示板２０が介装される下位の棒材１に至る棒状の止着部材２１で止着されている。止着部材２１は、頭部のある釘若しくは木ネジで構成され、所定間隔で一対設けられている。更に、表示板２０が介装される上位の棒材１には、釘若しくは木ネジの頭部が没入する凹部２２が形成されており、この凹部２２には、木製のダボ２３が嵌入されている。また、上位の棒材１及び表示板２０には、予め、釘若しくは木ネジが挿通される挿通孔を形成しておくと良い。
【００２７】
従って、この実施の形態に係るゴミ箱用覆い装置Ｓを組み立てるときは、覆うゴミ箱Ｇの大きさに合わせて、予め、棒材１を切断し、該当箇所に貫通孔３，凹所４及び凹部２２を形成しておく。次に、最下位に位置する一対の棒材１の貫通孔３に、支柱１０（ロッド１１）を挿通し、貫通ナット１４を下側の雄ネジ部１２にワッシャ１５を介してねじ込んで仮止めしておく。そして、ロッド１１が起立するように最下位の棒材１を地面に置き、この状態で１つ上位の棒材１を、その貫通孔３をロッド１１に挿通させて最下位の棒材１の端部２間に架設する。次に、また１つ上位の棒材１を同様の要領で架設する。このように、棒材１をその端部２同士が重なるように順次積み重ねていく。所要の高さになったならば、最上位の棒材１の貫通孔３からロッド１１の上側の雄ネジ部１２を露出させ、この雄ネジ部１２に袋ナット１３をワッシャ１５を介してねじ込む。最後に、下側の貫通ナット１４を締めつけ、最下位から最上位に積み重ねられた棒材１を締め付け固定する。
【００２８】
次に、表示板２０を何れか一の棒材１（実施の形態では最上位の１つ下位の棒材１）とこの棒材１より２つ下位の対応する棒材１との間に介装し、上位の棒材１の凹部２２から止着部材２１としての釘若しくは木ネジを挿入し、表示板２０を通ってこの表示板２０が介装される下位の棒材１に至らしめる。これにより、表示板２０が固定される。その後、凹部２２にダボ２３を打ち込んで嵌入する。この場合、表示板２０を止着部材２１としての釘若しくは木ネジで固定するので、取付けが容易になる。これにより、製品として完成する。
【００２９】
そして、このゴミ箱覆い装置Ｓを使用するときは、例えば、図５に示すように、屋外に設置される容器入り飲料の自動販売機Ｈに隣接して設けられるゴミ箱Ｇの場合で説明すると、このゴミ箱Ｇの設置場所において、ゴミ箱Ｇを覆うように設置する。この場合、木製の棒材１がその端部２同士が重なるように順次積み重ねられて構成されるので、側方から見ると、木製の棒材１の長手方向側面が隙間を介して上下に並び、しかも、隙間の両端部２には木製の棒材１の木口が見えるようになり、また、隙間からゴミ箱Ｇがのぞくようになることから、デザイン的に面白いものになって、見栄えが良くなり、外観品質が向上させられる。また、木製の棒材１が積み重ねられて筒状に構成されるので、強度的に強く、そのため、内部のゴミ箱Ｇが倒れようとしても棒材１に押さえられて、転倒する事態が防止される。
【００３０】
また、下位の棒材１を多角形の辺のうち１つ置きの辺を構成するように配置し、下位の棒材１の隣接する上位の棒材１を多角形の辺のうち下位の棒材１が構成する辺とは異なる他の辺であって１つ置きの辺を構成するように配置しているので、地面に設置する最下位の棒材１の配置関係がバランス良く配置されて地面に接することになり、そのため、安定性が向上させられる。
【００３１】
更に、棒材１は、貫通孔３に金属製のロッド１１を挿通し、貫通ナット１４及び袋ナット１３で締め付けて固定されているので、上下の棒材１の固定が確実になり、そのため、強度が向上させられる。また、最下位の棒材１に貫通ナット１４が没入する凹所４を形成したので、貫通ナット１４が棒材１の接地面から飛び出す事態が防止され、そのため、地面に対して貫通ナット１４が突出することがなく、安定を確保することができる。更にまた、ロッド１１の上端部２の雄ネジ部１２に袋ナット１３を螺合して貫通孔３を塞ぐようにしたので、貫通孔３から水が浸入する事態が防止され、ロッド１１の錆の発生が防止されるとともに、貫通孔３が腐食しにくくなり、そのため、耐久性が向上させられる。また、袋ナット１３なので、見栄えもよく、外観品質を向上させることができる。
【００３２】
また、表示板２０を設けたので、種々の情報を表示することができ、有用になる。この表示板２０は棒材１と同様に木製なので、材質が同じであり、そのため、この点でも外観品質が向上させられる。また表示板２０を止める釘若しくは木ネジの頭部はダボ２３で隠されるので、それだけ外観品質が向上させられる。
【００３３】
図６及び図７には、別の実施の形態に係るゴミ箱用覆い装置Ｓを示している。これは、上記と異なって、２つのゴミ箱Ｇを併設させて覆うことが可能になるように、上から見て長方形の枠状に形成されている。棒材１は、長辺用と短辺用の２種の長さのものが用意され、これらの棒材１を上記と同様に順次積み重ねて接合して構成してある。これにより、ゴミ箱Ｇを例えば２つ併設する場合、上記の容器入り飲料の自動販売機Ｈに隣接して設けられるゴミ箱Ｇの場合で説明すると、缶用のゴミ箱Ｇとペットボトル用のゴミ箱Ｇとを併設する場合、これらのゴミ箱Ｇを２つ併設した状態で覆うことができるようになる。他の作用，効果は上記と同様である。
【００３４】
図８には、また別の実施の形態に係るゴミ箱用覆い装置Ｓを示している。これは、上記と異なって、上から見て正六角形の枠状になるように、棒材１を上記と同様に順次積み重ねて接合して構成したものである。他の作用，効果は上記と同様である。
【００３５】
図９には、更にまた別の実施の形態に係るゴミ箱用覆い装置Ｓを示している。これは、上記と異なって、上から見て異形の四角形の枠状になるように、棒材１を上記と同様に順次積み重ねて接合して構成したものである。他の作用，効果は上記と同様である。
【００３６】
図１０には、他の実施の形態に係るゴミ箱用覆い装置Ｓを示している。これは、上記と異なって、上から見て奇数の辺を有した多角形（図では正三角形）の枠状になるように、棒材１を順次積み重ねて接合して構成したものである。この場合、辺が奇数なので、棒材１の一端部２（ａ）は下位に位置し、他端部２（ｂ）は上位に位置するように、順次積み重ねて構成してある。他の作用，効果は上記と同様である。
【００３７】
尚、上記実施の形態において、ゴミ箱用覆い装置Ｓの形状は、上から見て正四角形若しくは略正四角形の矩形（図１乃至図５），長方形（図６及び図７），正六角形（図８），異形の四角形（図９），正三角形（図１０）のものを示したが、必ずしもこれに限定されるものではなく、どのような形状の多角形でも良く、適宜変更して差し支えない。即ち、ゴミ箱の大きさや数に合わせてどのような多角形状に形成しても良い。また、上記実施の形態においては、棒材１の端部２を支柱１０を貫通させて接合固定したが、必ずしもこれに限定されるものではなく、ビスや接着剤を用いて固定しても良く、適宜変更して差し支えない。
【００３８】
尚また、上記実施の形態の説明においては、ゴミ箱Ｇとして容器入り飲料の自動販売機Ｈに隣接して設けられ容器用のゴミ箱Ｇに適用した例で説明したが、必ずしもこれに限定されるものではなく、屋外，屋内用に限らず、また、他の用途に用いられるどのようなゴミ箱Ｇにも適用できる。例えば、人が訪れる観光地、娯楽施設、公園、運動場あるいは道路等の様々な場所には、環境美化、衛生面からゴミ箱Ｇが設置される場合が多いが、このようなゴミ箱Ｇに対して、本発明を適用できることは勿論である。
【符号の説明】
【００３９】
Ｓ  ゴミ箱用覆い装置
Ｇ  ゴミ箱
Ｈ  自動販売機
１  棒材
２  端部
Ｈ１，Ｈ３  １つ置きの辺
Ｈ２，Ｈ４  １つ置きの辺（Ｈ１，Ｈ３）とは異なる他の辺
３  貫通孔
４  凹所
１０  支柱
１１  ロッド
１２  雄ネジ部
１３  袋ナット
１４  貫通ナット
１５  ワッシャ
２０  表示板
２１  止着部材
２２  凹部
２３  ダボ
【図１】
0003161678.tif 000003
【図２】
0003161678.tif 000004
【図３】
0003161678.tif 000005
【図４】
0003161678.tif 000006
【図５】
0003161678.tif 000007
【図６】
0003161678.tif 000008
【図７】
0003161678.tif 000009
【図８】
0003161678.tif 000010
【図９】
0003161678.tif 000011
【図１０】
0003161678.tif 000012
【手続補正書】
【提出日】平成22年6月7日(2010.6.7)
【手続補正１】
【補正対象書類名】図面
【補正対象項目名】図７
【補正方法】変更
【補正の内容】
【図７】
0003161678.tif 000013